(57)【要約】  アンテナ装置は、動物が通過することを可能にするためにストックレース内に搭載される構造体を含む。１つ又はそれ以上のアンテナコイルが構造体に又は構造体内に取り付けられ、構造体の横方向に磁界を提供する。コイルは、ヘルムホルツ（Ｈｅｌｍｈｏｌｔｚ）構成で配置されて、読取りゾーンに実質的に均一な磁界を提供することができる。構造体は開放頂部を有してもよく、構造体の側壁は前方に傾斜していてもよい。
2018522577.tif 000002
【特許請求の範囲】
【請求項１】
複数の動物が前記装置の構造体を通過できるように、ストックレース内に装着されるように構成された構造体を備える装置であって、
前記構造体に取り付けられ、もしくは前記構造体内に取り付けられた１つ又はそれ以上のアンテナコイルであって、前記各動物に取り付けられた質問可能な識別装置が通過するゾーンにおいて実質的に、前記構造体に横方向に磁界を提供するように構成された１つ又は複数のアンテナコイルと、
前記磁界を通過する各識別装置の問い合わせに基づいて、前記磁界を通過する各動物の識別信号を受信するように構成されたコントローラとを備えた装置。
【請求項２】
前記構造体は開放頂部を有する請求項１に記載の装置。
【請求項３】
１つ又はそれ以上のコイルは、ヘルムホルツ構成で接続された構造体の各側面に一体化されたコイルを備える請求項１又は２に記載の装置。
【請求項４】
前記構造体は、
ベースパネルと、
前記ベースパネルから延在する傾斜パネルと、
前記傾斜パネルから延在するサイドパネルと
を備えた請求項１〜３のうちのいずれか１つに記載の装置。
【請求項５】
前記ベースパネルと、前記傾斜パネルと、前記サイドパネルは、正面から見て、Ｕ字形状、Ｖ字形状、切頭円錐形状、又は円錐台形状を形成する請求項４に記載の装置。
【請求項６】
前記形状は、前記複数の動物が単一の縦列内で前記構造体を通過することを確実にするように構成される請求項５に記載の装置。
【請求項７】
前記傾斜パネルは、正面から見て、垂直に対して２０°〜６０°の角度で傾斜する請求項５又は６に記載の装置。
【請求項８】
前記ベースパネルと、前記傾斜パネルと、前記サイドパネルは、側面から見て傾斜する請求項４〜７のうちのいずれか１つに記載の装置。
【請求項９】
前記傾斜は、前記識別装置が磁界を通過する前に、前記動物の足の少なくとも１つが構造体内に確実に存在するように構成される請求項８に記載の装置。
【請求項１０】
前記サイドパネルは、側面から見て、垂直から２０°〜６０°の角度で傾斜する請求項８又は９に記載の装置。
【請求項１１】
前記構造体は、前記ストックレースと実質的にカモフラージュされるように構成される請求項１〜１０のうちのいずれか１つに記載の装置。
【請求項１２】
前記構造体はグレーである請求項１〜１１のうちのいずれか１つに記載の装置。
【請求項１３】
前記構造体はハニカムプラスチックを含む請求項１〜１２のうちのいずれか１つに記載の装置。
【請求項１４】
ストックレース用識別装置の読取器の製造方法であって、
平坦な構造体を形成することと、
前記構造体内に電磁コイルを設けることと、
前記構造体を、Ｕ字型、Ｖ字型、又は円錐台形の３次元形状に成形することとを含むストックレース用識別装置の読取器の製造方法。
【請求項１５】
前記成形することは、プラスチックブランクを所定の形状に成形することを含む請求項１４に記載の製造方法。
【請求項１６】
前記コイルを設けることは、電気導体を前記構造体上に巻回することを含む請求項１４又は１５に記載の製造方法。
【請求項１７】
前記成形することは、前記構造体の部分を加熱し、３次元形状に曲げることを含む請求項１４〜１６のいずれかに記載の製造方法。
【請求項１８】
複数の動物が構造体を通過可能にストックレース内に取り付けられた構造体であって、開放頂部を有する構造体と、
各動物に取り付けられた質問可能な識別装置が通過するゾーンにおいて実質的に、前記構造体に横方向に磁界を提供するように構成された１つ又はそれ以上のアンテナコイルであって、前記構造体に又は前記構造体内に取り付けられた１つ又はそれ以上のアンテナコイルとを備える装置。
【発明の詳細な説明】
【技術分野】
【０００１】
本発明は一般的にアンテナ装置に関し、特に、レースを通じて進む家畜を特定するアンテナ装置だけではない。
【背景技術】
【０００２】
低周波ＲＦＩＤ装置を使用して、家畜を識別することができる。ＲＦＩＤ装置は、アンテナを組み込んだ適切な読取器によって質問（読取）される。
【先行技術文献】
【特許文献】
【０００３】
【特許文献１】米国特許第８１５４４６５号明細書
【発明の概要】
【発明が解決しようとする課題】
【０００４】
複数の動物がストックレースを通過する際に質問が行われるときに多くの問題が発生する可能性がある。複数の動物は、レースの上にタグ読取器を見ると、躊躇したり、逆走したり、競争から飛び降りたりすることがある。レースの非効率性を引き起こすだけでなく、複数の動物はこのプロセスによって傷ついたり、望ましくないストレスを与えたりすることがある。
【０００５】
動物識別システムにおいて生じる可能性があるさらなる問題は、２つ以上の動物の頭部、すなわちそれらのタグが同時にアンテナの読み取りゾーンに入るか、存在することがあることである。これにより、タグの衝突が発生し、１つ又はそれ以上のタグが読み取られなくなる可能性がある。このことは、複数の動物がお互いに近づきすぎるときに、もしくは、複数の動物が単一の縦列で読取器を動かさない場合において起こり得て、異なるサイズの複数の動物がいるときに特に問題である。
【０００６】
本発明は、改良されたアンテナ装置を提供することができ、又は少なくとも公衆に有用な選択肢を提供することができる。
【課題を解決するための手段】
【０００７】
例示的な実施形態によれば、アンテナ装置が提供され、前記アンテナ装置は、
複数の動物が構造体を通過できるようにストックレース内に搭載されるように構成された構造体と、
各動物に取り付けられた質問可能な識別装置が通過するゾーンにおいて実質的に、前記構造体に横方向に磁界を提供するように構成された１つ又はそれ以上のアンテナコイルであって、前記構造体に取り付けられ、又は構造体内に取り付けられた１つ又はそれ以上のアンテナコイルと、
各識別装置を通過する各識別装置の問い合わせに基づいて、磁界を通過する各動物の識別信号を受信するように構成されたコントローラとを備える。
【０００８】
さらなる実施形態によれば、ストックレース用識別装置の読取器の製造方法が提供され、前記製造方法は、
平坦な構造体を形成することと、
前記構造体内に電磁コイルを設けることと、
前記構造体をＵ字型、Ｖ字型、円錐台形の３次元形状に成形することとを含む。
【０００９】
さらに別の実施形態によれば、装置が提供され、前記装置は、
複数の動物が構造体を通過することを可能にするように、ストックレース内に取り付けられた構造体であって、開放頂部を有する構造体と、
前記構造体に又は前記構造体内に取り付けられた１つ又はそれ以上のアンテナコイルであって、前記各動物に取り付けられた質問可能な識別装置が通過するゾーンにおいて実質的に、前記構造体に横方向に磁界を提供するように構成された１つ又はそれ以上のアンテナコイルとを備える。
【００１０】
様々な管轄下で、排他的または包括的意味のいずれかに起因して、「備える（comprise）」、「備える（comprises）」および「備える（comprising）」という用語が認められることは認められている。本明細書の目的のために、特に記載のない限り、これらの用語は包括的な意味を有することが意図され、すなわち、それらは列挙された成分の包含を意味すると解釈され、その使用が直接参照するものは、他の特定されていない構成要素又は要素も含むことができる。
【００１１】
文書が先行技術である、本明細書中のいずれかの文書への言及は、他の文書と有効に組み合わせ可能であること、又は共通の一般知識の一部を形成することの承認又は了解を構成するものではない。
【００１２】
本明細書に組み込まれ、その一部を構成する添付の図面は、上述の本発明の一般的な説明とともに、本発明の実施形態を示し、以下に与えられる実施形態の詳細な説明は、本発明の原理を説明するのに役立つ。
【図面の簡単な説明】
【００１３】
【図１】例示的な実施形態によるアンテナ装置のブロック図である。
【図２】図２は、アンテナ装置の斜視図である。
【図３】ストックレースにおけるアンテナ装置の斜視図である。
【図４】ストックレースにおけるアンテナ装置の側面図である。
【図５】磁界のグラフである。
【図６】製造方法のフロー図である。
【図７】製造中のプラスチックブランクの平面図である。
【発明を実施するための形態】
【００１４】
詳細な説明
図１は、アンテナ装置１のブロック図を示す。アンテナ装置１は、読取器２とコントローラ３とを備える。読取器２とコントローラ３とは、読取器インターフェース４によって接続される。アンテナ装置１は、追加のインターフェース６を介して追加の装置５に接続してもよい。
【００１５】
実施例を図２〜図４に示す。アンテナ装置１はストックレース３０１内に設けられ、読取器インターフェース４を介してコントローラ３に接続される。複数の動物は、通常、耳に、第１胃内に、又は足首バンド又は他のそのようなフィッティングに取り付けられた識別装置又はタグを各動物が有するように、飼育場で集められてもよい。各動物は、単一の縦列内の検出空間を通して経路２０１を移動する。アンテナ装置１の上方の空間は遮られておらず、複数の動物が進むにつれて吠えたり遅くなったりする動物を最小限に抑えることができ、動物に対する妨害を回避できる。開放頂部はまた、作業員がレース３０１から降りる必要もなく、下に横たわっていなくても、ストックレース３０１を容易に歩くことを可能にする。従って、アンテナ装置１は、より効率的かつ／又はより便利になり得る。
【００１６】
アンテナ装置１は、左コイル２０２と右コイル２０３とを備える。これらのコイル２０２，２０３は、好ましくは平行な平面にあり、同軸であってもよい。コントローラ３は、これらのコイル２０２，２０３のそれぞれに電流を通電して磁界を発生させる。このタグは、パッシブＲＦＩＤデバイスを含み、識別信号を放射するための磁界を通過する間に十分なエネルギーを吸収する。識別信号は、コイル２０２，２０３によって検出され、コントローラ３に渡される。コントローラは、識別信号を受信し、解釈又は復号することができる。次に、コントローラ３は、動物の識別を登録し、それをデータベースに記録する。各動物についてタイムスタンプを記録することもできる。このデータは、どの動物が処理済みかを記録するのに使用することができ、これにより、群れの動物の数を数え、及び／又はレース重量計と併せて使用することができる。このデータは、動物の動きを報告する際に政府の規制を守るのにも役立つ。レース中のタグ検出システムの一例は、特許文献１に開示されており、その内容は参照により本明細書に組み込まれる。
【００１７】
図３のように、レースを正面又は下方に見ると、アンテナ装置１の構造体は、ベースパネル２０４と、左傾斜パネル２０５と、直角パネル２０６と、左サイドパネル２０７と、右サイドパネル２０８とを含む略Ｕ字形状を有する。側面から見ると、図４のように、右側のパネル２０８は直角パネル２０６から延在し、両方のパネルは傾斜する。同様に、左側パネル２０７は左側パネル２０５から延在し、両方のパネルは傾斜する。例えば羊などの動物４０２が読取器２を通過することが図示されている。典型的には、動物は、３０ｃｍから１００ｃｍの高さであり得る。いくつかのケースの場合には、サイドパネル２０７，２０８は、測定される動物と同じかそれより高い。しかしながら、正確なタグの読み込みは可能である。サイドパネル２０７，２０８が動物の高さに達することがない場合、磁界はサイドパネルの高さを超えて継続し得る。例えば、サイドパネル２０７，２０８は、読取器２がストックレースに設置される場合において、地面から９０ｃｍ上の垂直高さに達することができる。
【００１８】
ベースパネル２０４は、ストックレース３０１の汚れた床に平らに横たわり、その前縁に沿って測定したとき、幅１６５ｍｍであってもよい。永続的な設置の場合、サイドパネル２０７，２０８は、ストックレース３０１，４０１にボルトで取り付けることができる。これらのボルトは、承認された位置でサイドパネル２０７，２０８を通過することができる。一時的な設置の場合、読取器２は、レース３０１のレール上にフックするためのサイドブラケットを有することができる。
【００１９】
磁界５０１の一例を図５に示す。左コイル２０２は、右コイル２０３と同じ大きさ及び周波数の磁界を生成するように駆動され、コイル２０２，２０３の間の領域において、左側のコイル２０２と右側のコイル２０３とによって発生した磁界が互いに強化され、例えば、同相で強化される。これにより、コイル２０２，２０３の間の領域において、ＲＦＩＤタグを読み取るための均一な磁界領域５０３が形成され、これはヘルムホルツ構成と呼ばれることもある。
【００２０】
コイル２０２，２０３の形状及び長さは、アンテナ装置１と識別装置の位置とを使用する、複数の動物の大きさに依存するかもしれない。磁界はアンテナ装置１の境界内に集中するが、磁界は境界を超えて拡張される。左コイル２０２と右コイル２０３は、アンテナ装置１を通過する動物の頭部の高さを覆う磁界を形成するが、動物がアンテナ装置１を通って移動する際に頭部をある範囲の高さに置くことができるので、磁界は、異なる大きさの成熟した動物及び若年の動物を考慮してこの動きをカバーするのに十分な大きさに生成される。
【００２１】
ＲＦＩＤタグを読み取ることができる空間をリードゾーン５０３と呼ぶ。２つ以上のＲＦＩＤタグが同時にリードゾーンに入るか、もしくは存在すると、リードエラーが発生する可能性がある。典型的には、ＲＦＩＤタグは各動物の耳を介して取り付けられる。従って、垂直方向を有する従来技術の読取器では、複数の動物がときどき、同時に読取器においてその頭をジャンプさせて読み込みエラーを引き起こすことがある。
【００２２】
これを避けるために、傾斜パネル２０５，２０６は、全ての動物が単一の縦列になるのを確実にするのに十分な通過を制限する。羊のために使用される場合、傾斜パネル２０５，２０６は、それらの前縁に沿って測定された場合、長さが約３３０ｍｍであり、垂直から２０°〜６０°の角度で傾斜していてもよく、例えば垂直に対して３０度傾斜し、サイドパネル２０７，２０８の間の距離が約４５０ｍｍになるようにする。
【００２３】
羊の頭は足の前の約２０ｃｍなので、左側パネル２０７，２０８は、図４の側面から見たように、磁界を通過する前に（上部付近）動物が（底部の傾斜パネル２０５，２０６を介して）単一の縦列に強制されるように傾斜させることができる。傾斜パネル２０５，２０６は、傾斜していてもよい。言い換えると、動物の少なくとも１フィートは、タグが磁界に達する前に構造物内にある（それによって単一の縦列に強制される）。サイドパネル２０７，２０８は、垂直から２０°〜６０°の側方から見て傾斜していてもよい。例えば、この傾斜は垂直から３０°であってもよい。
【００２４】
一般に、識別装置は動物の耳の上にあってもよく（例えば、ＲＦＩＤ耳タグ）、アンテナ装置１は、動物の他の場所に対して再構成されてもよい。例えば、識別装置が動物の下にある場合、サイドパネル２０７，２０８を反対方向に傾斜させることができ、傾斜パネル２０５，２０６が頂部に設けられてもよい。
【００２５】
傾斜パネル２０５，２０６はまた、例えば母親の下の子羊などの小さな動物が大きな動物と同時に通過するのを避けるように設計されてもよい。
【００２６】
「Ｕ」形状は、「Ｖ」形状又は切頭「Ｖ」形状又は円錐台形状に変形して記述してもよい。
【００２７】
アンテナ装置１は、図６及び図７に示すように製造することができる。製造方法６０１は、プラスチックブランク７０２を形成するステップ６０２を含む。次に、複数の電気コイルは、プラスチックブランク７０２内の複数の巻枠の周りに巻回される（６０３）。次に、プラスチックブランク７０２を成形する（６０４）。次に、成形された構造体は、コントローラ２及びパッケージ６０５に電気的に接続される。
【００２８】
形成すること６０２は、図７に示すプラスチック素材７０２を作成するために、平坦なプラスチックブロック７０１を所望の形状及び輪郭形状に成形（ミリング）することに関する。あるいは、例えば射出成形、３次元印刷、又は製造などの製造技術はアプリケーションの要件に従って使用することができる。プラスチックブランク７０２は、これらを接着又は接着する複数のセクションで構成してもよい。
【００２９】
プラスチックブランク７０２は、厚さが１５ｍｍ〜２１ｍｍのポリ塩化ビニル（ＰＶＣ）プラスチックであってもよい。また、この範囲外の厚さも使用することができ、しかしながら、プラスチックブランク７０２のパネルは、それらを歩いている動物の蹄に耐えるのに十分に強くなければならない。他のタイプのプラスチック及び木材を含む他の建築材料を使用することができる。成形（ミリング）は、コンピュータ数値制御（ＣＮＣ）ルータを使用して行うことができる。オフカット７０３からの浪費を減らすために、いくつかのオフセット又は対向する複数のプラスチックブランクを、単一のシート材料から成形（ミリング）してもよい。プラスチックブランク７０２は、得られた読取器２の重量を約３０％低減するために、ハニカム構造７０４で作製されてもよい。プラスチックブランク７０２の色は、ストックレース３０１の周囲に対してカモフラージュするように選択することができる。例えば、コンクリートの床と一致させるために灰色が使用されることがある。ストックレース３０１の床が汚れると、アンテナ装置１も同様である。このカモフラージュは、動物が読取器に近づくにつれて動物が拒絶する機会を減らすのに役立つ。カモフラージュされた滑り止めフロアテープは、読取器２が汚れた床にある場合に使用することができる。あるいは、読取器２の底部は、数ｃｍだけストックレース３０１の床内にわずかに埋め込まれてもよい。
【００３０】
巻線６０３は、左コイル２０２を左コイル溝７０５に巻回し又は固定することを含むことができ、右側のコイル２０３を右側のコイル溝７０６に巻き付け又は固定する。コイル２０２，２０３は、楕円形、台形又は円形に巻かれていてもよい。コイル形状は変化し得るが、読取器２がコントローラ３のＴＸ／ＲＸ入力段の仕様内にとどまるように、適切なインピーダンス整合を提供するために、コイル２０２，２０３のインピーダンスを維持する必要がある。コイル２０２，２０３の抵抗は、読取器２の品質係数（Ｑ）を変更するために変更することができる。コイル２０２，２０３は、リッツ線、ＰＣＢトラック、固体ストランド導体又は他の導体タイプから作られる。コイル２０２，２０３は、巻枠を用いて巻回してもよいし、次いで、当該巻枠はプラスチックブランク７０２に取り付けられる。コイル２０２，２０３は、その後、シリコンゴムを用いて固定されてもよい。フェライトタイルを使用して、電磁界をさらに誘導することができる。同調コンデンサ、フィルタ及びＥＭＩシールドも追加することができる。この時点で、プラスチックブランク７０２は依然として実質的に平坦である。
【００３１】
成形すること６０４は、プラスチックブランク７０２の様々な場所で曲げてＵ字形を形成することを含むことができる。複数の曲げライン７０７は、屈曲前に約１２０゜Ｃで約１５〜３０分間加熱される。加熱のために、電子ストリップヒーター、熱風ストリップヒーター又はガスヒーターを使用することができる。次いで、複数の曲げライン７０７を、治具を用いて所望の形状に折り曲げ、その上にプラスチックブランク７０２が置かれる。それを曲げるのに十分なほど熱いとき、それを所望の角度に曲げるために、熱いプラスチックに圧力が加えられ、そして、そのピースが５０°Ｃ以下に冷却されるまで保持される。冷却プロセスを高速化するために、水又は湿った冷却ぼろを使用することができる。図７の曲げ線７０７によって示されるように、実質的に平坦な構造において４つの横方向の曲がりが形成される。正確な温度制御及び温度分布を維持することによって、ピースの燃焼及びスポッティングを回避することができる。
【００３２】
接続すること及びパッケージング６０５は、コイル２０２，２０３の上にカバーをボンディングすること（これは成形前に行うこともできる）を含む。これは、コイル２０２，２０３を電気回路又は電気コネクタに終端することを含んでもよい。これは、コントローラ３へのプラグ及びケーブル接続を含むことができる。追加の読取器電子回路を収容するために、ボックスを読取器２の外側に取り付けることができる。コイル２０２，２０３は、電気コネクタに終端することができる。電気コネクタは、読取器２の中に部分的に凹部に嵌合させてもよい。あるいは、コイル巻線リードはパネルを出て電気プラグに取り付けることができる。コイル巻線リードは、導管又は可撓性チューブによって保護することができる。
【００３３】
この貼り合わせ工程により、アンテナ装置１は密閉されて、例えば、ＩＰ５６定格などの耐水性が確保される。貼り合わせの間、貼り合わせされるプラスチック片は可塑化され、次いで、完全に結合するために完全に混合される。ケーブルの入口付近に水が浸入しないように、コネクタの周りにシリコンを使用することができる。アンテナ装置１は、生体の防護目的で消毒剤で化学的に処理することができる。
【００３４】
コントローラ３は、例えば車両鉛蓄電池などの１２Ｖの電源に接続される。コントローラは、ネジ又は付属のブラケットを用いてストックレース３０１，４０１に取り付けられてもよい。アンテナ装置１はアクティブ読取器であってもよく、ＲＦＩＤタグからの信号を受信するために、ＲＦＩＤタグを付勢するためにコイル２０２，２０３を使用してもよい。励起信号を受信すると、ＲＦＩＤタグは、全二重方式（ＦＤＸ）で励起信号を変調することができる。あるいは、ＲＦＩＤタグは、励起信号からのエネルギー及び／又はデータを格納することができ、半二重方式（ＨＤＸ）で適切なタイミングで応答を送信することができる。コントローラは、ＲＦＩＤタグからの一意のＩＤを格納し、また、タイムスタンプを格納してもよい。アンテナ装置は、多数のＲＦＩＤ読取器で動作するように調整又は最適化することができる。
【００３５】
アンテナ装置１の形状のために、標準的な非金属羊レースに取り付けることが簡単かもしれない。現在利用可能なコントローラと同じ読取器インターフェース４を使用することにより、設置がさらに簡単になる。
【００３６】
アンテナ装置１はまた、追加のインターフェース６の一部として標準のシリアルＩ／Ｏポートを有してもよい。このことは、オープンソースプロトコルを使用して、例えばスケールやデータロガーのような、種々のソフトウェアパッケージ及び追加のデバイス５との統合を促進することができる。
【００３７】
読取器２のインピーダンスがコントローラ３と十分に一致することを確実にするために、読取器２は巻線仕様に従って巻線及び／又は同調されてもよい。読取器２は、使用されるコントローラ３に依存して、１００μＨ〜１２０μＨ、又は２００μＨ〜９８０μＨのインピーダンスを有することができる。
【００３８】
本発明はその実施形態の説明によって例示され、実施形態を詳細に説明してきたが、添付の特許請求の範囲をそのような詳細説明に限定すること、又は決して限定することは、出願人の意図ではない。さらなる利点及び変更は、当業者には容易に明らかであろう。このため、本発明のより広い態様は、具体的な詳細、代表的な装置及び方法、及び図示及び記載された例示的な例に限定されない。従って、本出願人の一般的な発明概念の精神又は範囲から逸脱することなく、そのような詳細説明から発展することができる。
【図１】
2018522577.tif 000003
【図２】
2018522577.tif 000004
【図３】
2018522577.tif 000005
【図４】
2018522577.tif 000006
【図５】
2018522577.tif 000007
【図６】
2018522577.tif 000008
【図７】
2018522577.tif 000009
【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
複数の動物が前記装置の構造体を通過できるように、ストックレース内に装着されるように構成された構造体を備える装置であって、
前記構造体に取り付けられ、もしくは前記構造体内に取り付けられた２つ又はそれ以上のアンテナコイルであって、前記各動物に取り付けられた質問可能な識別装置が通過するゾーンにおいて実質的に、前記構造体に横方向に磁界を提供するように構成された２つ又はそれ以上のアンテナコイルと、
前記磁界を通過する各識別装置の問い合わせに基づいて、前記磁界を通過する各動物の識別信号を受信するように構成されたコントローラとを備え、
前記２つ又はそれ以上のコイルは、ヘルムホルツ構成で接続された構造体の各側面に取り付けられ、もしくは前記各側面内に取り付けられたコイルを備え、
前記装置は横方向のコイルを有しない装置。
【請求項２】
前記構造体は開放頂部を有する請求項１に記載の装置。
【請求項３】
前記構造体は、
ベースパネルと、
前記ベースパネルから延在する傾斜パネルと、
前記傾斜パネルから延在するサイドパネルと
を備えた請求項１又は２に記載の装置。
【請求項４】
前記ベースパネルと、前記傾斜パネルと、前記サイドパネルは、正面から見て、Ｕ字形状、Ｖ字形状、切頭円錐形状、又は円錐台形状を形成する請求項３に記載の装置。
【請求項５】
前記形状は、前記複数の動物が単一の縦列内で前記構造体を通過することを確実にするように構成される請求項４に記載の装置。
【請求項６】
前記傾斜パネルは、正面から見て、垂直に対して２０°〜６０°の角度で傾斜する請求項４又は５に記載の装置。
【請求項７】
前記ベースパネルと、前記傾斜パネルと、前記サイドパネルは、側面から見て傾斜する請求項３〜６のうちのいずれか１つに記載の装置。
【請求項８】
前記傾斜は、前記識別装置が磁界を通過する前に、前記動物の足の少なくとも１つが構造体内に確実に存在するように構成される請求項７に記載の装置。
【請求項９】
前記サイドパネルは、側面から見て、垂直から２０°〜６０°の角度で傾斜する請求項７又は８に記載の装置。
【請求項１０】
前記構造体は、前記ストックレースと実質的にカモフラージュされるように構成される請求項１〜９のうちのいずれか１つに記載の装置。
【請求項１１】
前記構造体はグレーである請求項１〜１０のうちのいずれか１つに記載の装置。
【請求項１２】
前記構造体はハニカムプラスチックを含む請求項１〜１１のうちのいずれか１つに記載の装置。
【請求項１３】
ストックレース用識別装置の読取器の製造方法であって、
平坦な構造体を形成することと、
前記構造体内に電磁コイルを設けることと、
前記構造体を、Ｕ字型、Ｖ字型、又は円錐台形の３次元形状に成形することとを含むストックレース用識別装置の読取器の製造方法。
【請求項１４】
前記成形することは、プラスチックブランクを所定の形状に成形することを含む請求項１３に記載の製造方法。
【請求項１５】
前記コイルを設けることは、電気導体を前記構造体上に巻回することを含む請求項１３又は１４に記載の製造方法。
【請求項１６】
前記成形することは、前記構造体の部分を加熱し、３次元形状に曲げることを含む請求項１３〜１５のいずれかに記載の製造方法。
【請求項１７】
複数の動物が構造体を通過可能にストックレース内に取り付けられた構造体であって、開放頂部を有する構造体と、
各動物に取り付けられた質問可能な識別装置が通過するゾーンにおいて実質的に、前記構造体に横方向に磁界を提供するように構成された２つ又はそれ以上のアンテナコイルであって、前記構造体に又は前記構造体内に取り付けられた２つ又はそれ以上のアンテナコイルとを備え、
前記２つ又はそれ以上のコイルは、ヘルムホルツ構成で接続された構造体の各側面に取り付けられ、もしくは前記各側面内に取り付けられたコイルを備え、
前記装置は横方向のコイルを有しない装置。
【国際調査報告】
2018522577.tif 000010
2018522577.tif 000011
2018522577.tif 000012